(57)【特許請求の範囲】
【請求項１】
画像信号および音声信号を処理し、該処理された画像信号および音声信号をＭＭＳメッセージとして送信する装置であって、該装置は、
画像信号および音声信号を受信する入力部と、
マルチメディアデータを臨時保存する第１バッファと、
該第１バッファに保存されたマルチメディアデータから分割されて生成された複数のデータ要素を保存する第２バッファと、
該第２バッファに保存されたデータ要素を順番に従って保存するメモリ部と、
該画像信号および該音声信号を受信している間において、
ＭＭＳサーバーの一回で伝送可能な容量を確認し、
該入力部によって受信された画像信号および音声信号を符号化して前記マルチメディアデータにし、前記第１バッファに保存し、
該第１バッファに保存されたマルチメディアデータを、前記ＭＭＳサーバーの一回で伝送可能な容量と同じサイズを有する複数のデータ要素に分割し、
該分割されたデータ要素のそれぞれについて順番を決めて該メモリ部に保存する制御部と、
該入力部が該画像信号および該音声信号の受信を終えたときに、該メモリ部に保存されたファイルを無線で送信する高周波部と
を備える、装置。
【請求項２】
前記入力部は、前記画像信号を受信するカメラと、前記音声信号を受信するマイクとを備える、請求項１に記載の装置。
【請求項３】
前記制御部は、マルチスレッドを実現することによって、
（ｉ）前記入力部から入力される画像信号および音声信号を符号化してマルチメディアデータにし、該マルチメディアデータを前記第１バッファに保存させ、
（ｉｉ）該マルチメディアデータを分割し、
（ｉｉｉ）該分割されたマルチメディアデータを前記第２バッファに保存させる、請求項１に記載の装置。
【請求項４】
前記マルチスレッドは、
前記画像信号および前記音声信号を受信し、該受信された画像信号および音声信号を前記第１バッファにマルチメディアデータとして保存し、該保存されたマルチメディアデータを出力部に出力する撮影スレッドと、
該撮影スレッドにより保存されたマルチメディアデータを受信し、該受信されたマルチメディアデータを、複数のフレーム単位であって、該複数のフレーム単位の各々は特定のサイズを有する、複数のフレーム単位へと分割し、該複数のフレーム単位を前記第２バッファに保存する分割スレッドと
を含む、請求項３に記載の装置。
【請求項５】
前記メモリ部は、ＲＡＭ（Ｒａｎｄｏｍ  Ａｃｃｅｓｓ  Ｍｅｍｏｒｙ）であり、
該メモリ部は、前記制御部から制御信号を受信することに応答して、前記複数のデータ要素と、該複数のデータ要素の各々に指定されている順番とを保存する、請求項１に記載の装置。
【請求項６】
画像信号および音声信号を処理し、該処理された画像信号および音声信号をＭＭＳメッセージとして送信する方法であって、該方法は、
画像信号および音声信号が入力されている間において、
ＭＭＳサーバーの伝送可能容量を確認し、
該入力される画像信号および音声信号を符号化してマルチメディアデータにし、
該マルチメディアデータを第１バッファに保存し
該マルチメディアデータを複数のデータ要素であって、該複数のデータ要素の各々は、該ＭＭＳサーバーの伝送可能容量のサイズに等しいサイズを有する、複数のデータ要素へと分割し、
該複数のデータ要素を第２バッファに保存することと、
該画像信号および該音声信号の入力が終わったときに、該複数のデータ要素をＭＭＳメッセージとして伝送することと
を包含する、方法。
【請求項７】
前記画像信号および前記音声信号は、マルチスレッドによって、符号化および分割される、請求項６に記載の方法。
【請求項８】
前記マルチスレッドは、
前記画像信号および前記音声信号を符号化および変換して前記第１バッファに保存する撮影スレッドと、
該第１バッファに保存されたマルチメディアデータを複数のフレーム単位であって、該複数のフレーム単位の各々は特定のサイズを有する、複数のフレーム単位へと分割し、該複数のフレーム単位を前記第２バッファに保存する分割スレッドと
を含む、請求項７に記載の方法。
【発明の詳細な説明】
【技術分野】
【０００１】
本発明は、携帯端末機に関し、詳しくは、携帯端末機におけるＭＭＳメッセージ分割装置及びその方法に関するものである。
【背景技術】
【０００２】
一般に、ＭＭＳ（Ｍｕｌｔｉｍｅｄｉａ  Ｍｅｓｓａｇｉｎｇ  Ｓｅｒｖｉｃｅ）は、使用者の有無線端末機により、単純なテキストだけでなく、絵、写真、音声、音楽及び動画像のような多様なマルチメディアを含むメッセージを送受信するサービスをいう。
【０００３】
このようなＭＭＳを通して、使用者は比較的容量の大きなＭＭＳメッセージを相手方の端末機に伝送することができるようになった。しかしながら、最近、端末機の性能の向上により、端末機には、以前よりもさらに容量の大きな動画像や音楽などのマルチメディアファイルを保存できるようになったが、ＭＭＳを提供するＭＭＳサーバーとしては、依然として伝送可能容量が約１００ｋｂｙｔｅ程度しかならない既存のサーバーがそのまま使用されている。従って、前記ＭＭＳサーバーの伝送可能容量を超過する大きな容量のマルチメディアファイルは、ＭＭＳを通して相手方の端末機に伝送することができなかった。
【０００４】
このような問題点を補完するために、動画像などのマルチメディアファイルの保存サイズを、使用目的によって異なるように制限できる方法が提案された。
【０００５】
図５及び図６は、このような従来のマルチメディアファイルの保存サイズを異なるように制限する方法を示す例示図である。
【０００６】
先ず、図５に示すように、標準形式の動画像を撮影して保存する場合は、端末機のメモリに指定された制限容量（最新端末機の場合、約１２８Ｍｂｙｔｅ）まで保存が可能であるが、動画像ファイルの容量が大部分ＭＭＳサーバーの伝送可能容量を超過するため、下方の図のようにＭＭＳ伝送は不可能である。
【０００７】
一方、図６に示すように、ＭＭＳ伝送を目的として動画像を撮影して保存する場合は、小さいサイズ（ＭＭＳ伝送可能容量以下のサイズ）の動画像に分割して、それぞれバッファまたはメモリに保存することで、ＭＭＳ伝送が可能になる。
【発明の開示】
【発明が解決しようとする課題】
【０００８】
このように、ＭＭＳを通してマルチメディアファイルを伝送するにおいて、従来の技術においては、ＭＭＳサーバーの伝送可能容量のために大きいサイズのファイルを伝送することができず、これを克服するために提案された従来の方法においては、ＭＭＳ伝送が可能なファイルと不可能なファイルとが混在するため、使用者に不便を与えるという問題点があった。
【０００９】
本発明は、このような従来の課題に鑑みてなされたもので、サーバーの伝送可能容量を超過するＭＭＳメッセージを携帯端末機で伝送可能なサイズに分割できる携帯端末機におけるＭＭＳメッセージ分割装置及びその方法を提供することを目的とする。  
【課題を解決するための手段】
【００１０】
このような目的を達成するため、本発明に係るＭＭＳメッセージ分割装置は、画像信号及び音声信号などの入力を受ける入力部と、携帯端末機の各部を制御し、前記入力部を通して入力される画像信号及び音声信号をマルチメディアデータに符号化した後に特定のサイズに分割し、分割されたデータの順番を指定して保存させる制御部と、前記制御部により符号化されたマルチメディアデータを臨時保存する第１バッファと、前記第１バッファに保存されたマルチメディアデータを前記制御部の制御により分割及び符号化してそれぞれのファイルを生成し臨時保存する第２バッファと、前記制御部により前記第２バッファに臨時保存されたそれぞれのファイルを順番に従って保存するメモリ部と、前記制御部により携帯端末機の運用情報、画像信号または音声信号を出力する出力部と、前記メモリ部に保存されたファイルを無線で送信する高周波部と、から構成されることを特徴とする。
【００１１】
また、前記入力部は、画像信号の入力を受けるカメラ、または音声信号の入力を受けるマイク、またはこれら両方ともであることを特徴とする。
【００１２】
また、前記制御部は、ＭＳＭ（Ｍｏｂｉｌｅ  Ｓｔａｔｉｏｎ  Ｍｏｄｅｍ）またはプロセッサであり、マルチスレッド（Ｍｕｌｔｉ−Ｔｈｒｅａｄ）を実現して、画像信号及び音声信号をマルチメディアデータに符号化して前記第１バッファに保存させ、前記マルチメディアデータを分割して前記第２バッファに保存させることを特徴とする。
【００１３】
また、前記制御部は、前記分割されたマルチメディアデータの順番を定義して指定するテーブル部を含むことを特徴とする。
【００１４】
また、前記マルチスレッドは、前記入力部から画像信号及び音声信号を受信して、前記第１バッファにマルチメディアデータとして保存し、前記出力部に出力する撮影スレッドと、前記撮影スレッドにより保存されたマルチメディアデータを受信して、所定のサイズのフレーム単位で分割して前記第２バッファに出力する分割スレッドと、を含んで構成されることを特徴とする。
【００１５】
また、前記第１バッファは、前記制御部の制御により撮影されたマルチメディアデータを臨時保存し、前記第２バッファは、フレーム単位で分割されたマルチメディアフレームファイルを保存及び出力するが、このとき、入力されるマルチメディアデータを前記撮影スレッドにより符号化及び変換して割り当てられた該当領域に保存し、前記分割スレッドによりフレーム単位で分割されたマルチメディアフレームファイルを割り当てられた該当領域に保存することを特徴とする。
【００１６】
また、前記特定のサイズは、ＭＭＳサーバーの１回伝送可能な容量以下であることを特徴とする。
【００１７】
そして、本発明に係るＭＭＳメッセージ分割方法は、画像信号及び音声信号の入力が開始すると、ＭＭＳサーバーの伝送可能容量を確認する段階と、前記入力される画像信号及び音声信号を符号化してマルチメディアデータとして第１バッファに保存し、該マルチメディアデータを前記確認されたＭＭＳサーバーの伝送可能容量の大きさだけ分割して第２バッファに保存する段階と、前記画像信号及び音声信号の入力が終了すると、分割されたマルチメディアフレームファイルをＭＭＳメッセージとして伝送する段階と、を有することを特徴とする。
【００１８】
本発明の携帯端末機におけるＭＭＳメッセージ分割装置は、画像信号及び音声信号などの入力を受ける入力部と、携帯端末機の各部を制御し、前記入力部を通して入力される画像信号及び音声信号をマルチメディアデータに符号化した後に特定のサイズに分割し、分割されたデータの順番を指定して保存させる制御部と、前記マルチメディアデータ及び分割されたデータをそれぞれのファイルとして保存するバッファと、前記制御部により前記バッファに保存されたそれぞれのファイルを順番に従って該当領域に保存するメモリ部と、前記制御部により携帯端末機の運用情報、画像信号または音声信号を出力する出力部と、前記メモリ部に保存されたファイルを無線で送信する高周波部と、から構成されることを特徴とし、それにより上記目的が達成される。
【００１９】
前記入力部は、画像信号の入力を受けるカメラ、または音声信号の入力を受けるマイク、またはこれら両方ともであることを特徴としてもよい。
【００２０】
前記バッファは、前記制御部により符号化されたマルチメディアデータを臨時保存する第１バッファと、前記第１バッファに保存されたマルチメディアデータを前記制御部の制御により分割及び符号化してそれぞれのファイルを生成し臨時保存する第２バッファと、から構成されることを特徴としてもよい。
【００２１】
前記制御部は、マルチスレッド（Ｍｕｌｔｉ−Ｔｈｒｅａｄ）を実現して、前記入力部から入力される画像信号及び音声信号をマルチメディアデータに符号化して前記第１バッファに保存させ、前記マルチメディアデータを分割して前記第２バッファに保存させることを特徴としてもよい。
【００２２】
前記制御部は、前記分割されたマルチメディアデータの順番を定義して指定するテーブル部を含むことを特徴としてもよい。
【００２３】
前記マルチスレッドは、前記入力部から画像信号及び音声信号を受信して、前記第１バッファにマルチメディアデータとして保存し、前記出力部に出力する撮影スレッドと、前記撮影スレッドにより保存されたマルチメディアデータを受信して、特定のサイズのフレーム単位で分割して前記第２バッファに出力する分割スレッドと、から構成されることを特徴としてもよい。
【００２４】
前記特定のサイズは、ＭＭＳサーバーの伝送可能容量以下のサイズであることを特徴としてもよい。
【００２５】
前記メモリ部は、ＲＡＭ（Ｒａｎｄｏｍ  Ａｃｃｅｓｓ  Ｍｅｍｏｒｙ）であり得、前記制御部から制御信号を受信して、前記テーブル部により順番が指定された分割されたマルチメディアフレームファイルを該当領域に保存することを特徴としてもよい。
【００２６】
本発明による携帯端末機におけるＭＭＳメッセージ分割方法は、画像信号及び音声信号の入力が開始すると、ＭＭＳサーバーの伝送可能容量を確認する段階と、前記入力される画像信号及び音声信号を符号化してマルチメディアデータとして第１バッファに保存し、該マルチメディアデータを前記確認されたＭＭＳサーバーの伝送可能容量の大きさだけ分割して第２バッファに保存する段階と、前記画像信号及び音声信号の入力が終了すると、分割されたマルチメディアフレームファイルをＭＭＳメッセージとして伝送する段階と、を有することを特徴とし、それにより上記目的が達成される。
【００２７】
前記画像信号及び音声信号は、マルチスレッドにより符号化され分割されることを特徴としてもよい。
【００２８】
前記マルチスレッドは、画像信号及び音声信号を符号化及び変換して第１バッファに保存する撮影スレッドと、前記第１バッファに保存されたマルチメディアデータを所定のサイズのフレーム単位で分割して順に第２バッファに保存する分割スレッドと、から構成されることを特徴としてもよい。
【発明の効果】
【００２９】
本発明に係る携帯端末機におけるＭＭＳメッセージ分割装置及びその方法においては、マルチメディアデータをＭＭＳ１回伝送サイズに合うように分割して保存することで、ＭＭＳサーバーの伝送可能容量に関係なしに、携帯端末機で許容されるだけのマルチメディアデータをＭＭＳで伝送できるという商業的効果及び使用者便宜的な効果がある。
【００３０】
また、マルチメディアデータを符号化するバッファを備えて、マルチメディアデータを分割して順に各バッファに保存し、最終的に録画が終了するとき、各バッファにある内容をファイルに生成することで、マルチメディア信号の遺失を防止し、一つのファイルに表示することで、使用者の混乱を防止するという効果がある。
【発明を実施するための最良の形態】
【００３１】
以下、本発明に係るＭＭＳメッセージ分割装置及びその方法を実施するための最良の形態を図面に基づいて説明する。
【００３２】
図１は、本発明に係るＭＭＳメッセージ分割方法の概念を示す説明図で、図に示すように、端末機で録画をする場合、内部的にＭＭＳの１回伝送サイズに合うサイズにそれぞれのファイルを分けて保存する。例えば、ＭＭＳの１回伝送可能容量が１００Ｋｂｙｔｅであると、録画される動画像をそれぞれ１００Ｋｂｙｔｅのサイズのファイルに分けて保存する。
【００３３】
その後、ＭＭＳメッセージの伝送時に、端末機は、前記分けられたファイルをＭＭＳサーバーを通して数回にわたって相手方の端末機に伝送する。図１においては、便宜のために、三つのファイルに分けて伝送されることを示しているが、実際には、端末機で許容されるだけ可能である。例えば、端末機で動画像に許容される保存容量が１Ｍｂｙｔｅであると、分割して伝送できるファイルの個数は最大１０個となる。もちろん、最新端末機の場合は、これを超過することができるが、サーバーの円滑な運用のために分割伝送ファイルの個数に制限をおくこともできる。
【００３４】
前記分割されてＭＭＳサーバーを通して伝送された各ファイルを受信した端末機は、使用者が受信されたファイルを再生する場合、一つのファイルのように連続して再生する。このために、前記ＭＭＳメッセージのヘッダーには、分割されたファイルの情報（ファイルの個数、順序及び容量など）が含まれることができる。
【００３５】
前記撮影される動画像は、ＭＭＳの１回伝送サイズに合うサイズに分割され、前記生成されるファイルは、携帯端末機の動画像の符号化に適したファイルであって、「ｍｐ４」ファイルであり得る。
【００３６】
図２は、本発明に係る携帯端末機におけるＭＭＳメッセージ分割装置の構成を示すブロック図で、図に示すように、本発明に係るＭＭＳメッセージ分割装置は、携帯端末機１００に内蔵され、画像信号及び音声信号などの入力を受ける入力部１１０と、携帯端末機１００の各部を制御し、前記入力部１１０を通して入力される画像信号及び音声信号をマルチメディアデータに符号化した後に特定のサイズに分割し、分割されたデータの順番を指定して保存させる制御部１２０と、前記制御部１２０により符号化されたマルチメディアデータを臨時保存する第１バッファ１３２と、前記第１バッファ１３２に保存されたマルチメディアデータを前記制御部１２０の制御により分割及び符号化してそれぞれのファイルを生成し臨時保存する第２バッファ１３４と、前記制御部１２０により前記第２バッファ１３４に臨時保存されたそれぞれのファイルを順番に従って保存するメモリ部１３０と、前記制御部１２０により携帯端末機１００の運用情報、画像信号または音声信号を出力する出力部１４０と、前記メモリ部１３０に保存されたファイルを無線で送信する高周波部１５０と、から構成されている。
【００３７】
前記入力部１１０は、画像信号の入力を受けるカメラ、または音声信号の入力を受けるマイク、またはこれら両方ともであり得る。
【００３８】
また、前記制御部１２０は、ＭＳＭまたはプロセッサであり、マルチスレッドを実現して、前記入力部から入力される画像信号及び音声信号をマルチメディアデータに符号化して前記第１バッファ１３２に保存させ、前記マルチメディアデータを分割して前記第２バッファ１３４に保存させる。前記入力部１１０を通して入力される画像は、ＭＭＳの１回伝送サイズに合うサイズに分割されて前記第２バッファ１３４に保存されるが、このために、前記制御部１２０は、該当基地局に接続してＭＭＳサーバーの伝送可能容量（信号処理容量）を確認する。
【００３９】
且つ、前記制御部１２０は、前記分割されたマルチメディアデータの順番を定義して指定するテーブル部１２６を含む。
【００４０】
また、前記マルチスレッドは、前記入力部１１０から画像信号及び音声信号を受信して、前記第１バッファ１３２にマルチメディアデータとして保存し、出力部に出力する撮影スレッド１２２と、前記撮影スレッド１２２により保存されたマルチメディアデータを受信して、所定のサイズのフレーム単位で分割して前記第２バッファ１３４に出力する分割スレッド１２４と、を含んで構成される。
【００４１】
また、前記第１バッファ１３２は、前記制御部１２０により撮影されたマルチメディアデータを臨時保存し、前記第２バッファ１３４は、フレーム単位で分割されたマルチメディアフレームファイルを保存及び出力するが、このとき、前記第１バッファ１３２は、マルチメディアデータを前記撮影スレッド１２２により符号化及び変換して割り当てられた該当領域に保存し、前記第２バッファ１３４は、前記分割スレッド１２４によりフレーム単位で分割されたマルチメディアフレームファイルを割り当てられた該当領域に保存する。
【００４２】
前記メモリ部１３０は、ＲＡＭ（Ｒａｎｄｏｍ  Ａｃｃｅｓｓ  Ｍｅｍｏｒｙ）であり得、前記制御部１２０から制御信号を受信して、前記テーブル部１２６により順番が指定されたマルチメディアフレームファイルを保存する。
【００４３】
また、前記出力部１４０は、画像信号を出力する表示部、または音声信号を出力するスピーカーであり得る。
【００４４】
図３は、本発明に係る携帯端末機におけるＭＭＳメッセージ分割方法を示すフローチャートで、図に示すように、使用者が携帯端末機１００の内部または外部に装着されたカメラを使用して撮影を開始すると（ステップＳ１００）、携帯端末機１００と該当基地局との接続を通して、ＭＭＳサーバーの伝送可能容量が確認される（ステップＳ１１０）。
【００４５】
即ち、携帯端末機１００の入力部１１０を通して画像信号及び音声信号が入力されると、携帯端末機１００は、前記画像信号及び音声信号をメッセージとして伝送できるＭＭＳの１回伝送可能量を確認する。
【００４６】
その後、携帯端末機１００の入力部１１０により画像信号及び音声信号が入力され、入力され信号は、撮影スレッドにより符号化及び変換されて第１バッファ１３２の該当領域にマルチメディアデータとして保存される（ステップＳ１２０）。そして、前記マルチメディアデータは、前記確認されたＭＭＳサーバーの伝送可能容量の大きさだけ分割スレッド１２４により複数のフレームファイルに分割されて第２バッファ１３４の該当領域に保存される（ステップＳ１３０）。
【００４７】
即ち、入力されるマルチメディア信号を携帯端末機に適した形式のファイル（例えば、ＭＰ４）に符号化及び変換して保存する。
【００４８】
このとき、入力されるマルチメディア信号の内容を分割してマルチスレッドを通して順に各バッファに保存し、最終的に録画が終了するとき、前記複数のバッファに保存された内容をファイルに生成する。
【００４９】
撮影が終了し、入力されたマルチメディアデータが全て処理されると、即ち、符号化及び分割されてテーブル部１２６により指定された順番に従ってメモリ部１３０に保存されると（ステップＳ１４０）、前記分割された複数のフレームファイルは、ＭＭＳメッセージとして高周波部を通して伝送される（ステップＳ１５０）。
【００５０】
図４は、本発明が適用された携帯端末機のユーザー・インターフェースを示す例示図で、図４（ａ）に示すように、分割撮影された画像をそれぞれのファイルのように目録に示すこともできるが、使用者の混乱を防止するために、図４（ｂ）に示すように、連続した動画像の最初のファイルのみを目録に示すこともできる。
【００５１】
図４（ｂ）において、動画像ファイルは、使用者には一つのファイルのように見えるが、実際には、複数個のファイルに分割されたもので、実際にＭＭＳを伝送するときは、図４（ｃ）に示すように、使用者に分割伝送することを知らせることもできる。
【００５２】
一方、前述したように分割伝送されたＭＭＳメッセージを受信した携帯端末機は、実際には複数のファイルを受信したが、ファイルの再生時には動画像のようなマルチメディアデータを一つのファイルのように連続して再生することで、使用者（受信者）は、途切れや不便なしにマルチメディアデータを鑑賞することができる。このために、前述したように、前記ＭＭＳメッセージのヘッダーには、分割されたファイルの情報（ファイルの個数、テーブル部により指定された順序及び容量など）が含まれることができる。
【００５３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【００５４】
（要約）
撮影スレッド及び分割スレッドのマルチスレッドを実現して、撮影時に入力される画像信号及び音声信号を符号化した後、分割して保存及び送信することで、ＭＭＳサーバーの伝送可能容量に関係なしに、携帯端末機で許容されるだけのマルチメディアデータをＭＭＳで伝送することができる。
【図面の簡単な説明】
【００５５】
【図１】本発明に係る携帯端末機におけるＭＭＳメッセージ分割方法の概念を示す説明図である。
【図２】本発明に係る携帯端末機におけるＭＭＳメッセージ分割装置の構成を示すブロック図である。
【図３】本発明に係る携帯端末機におけるＭＭＳメッセージ分割方法を示すフローチャートである。
【図４（ａ）】本発明が適用された携帯端末機のユーザー・インターフェースを示す例示図である。
【図４（ｂ）】本発明が適用された携帯端末機のユーザー・インターフェースを示す例示図である。
【図４（ｃ）】本発明が適用された携帯端末機のユーザー・インターフェースを示す例示図である。
【図５】従来のマルチメディアファイルの保存サイズを異なるように制限する方法を示す例示図である。
【図６】従来のマルチメディアファイルの保存サイズを異なるように制限する方法を示す例示図である。
【符号の説明】
【００５６】
１００  携帯端末機
１１０  入力部
１２０  制御部
１２２  撮影スレッド
１２４  分割スレッド
１２６  テーブル部
１３０  メモリ部
１３２  第１バッファ
１３４  第２バッファ
１４０  出力部
１５０  高周波部
【図１】
0004674069.tif 000002
【図２】
0004674069.tif 000003
【図３】
0004674069.tif 000004
【図４（ａ）】
0004674069.tif 000005
【図４（ｂ）】
0004674069.tif 000006
【図４（ｃ）】
0004674069.tif 000007
【図５】
0004674069.tif 000008
【図６】
0004674069.tif 000009